(57)【特許請求の範囲】
【請求項１】
第１のゲートウェイにより、ローミングロケーションのネットワークデバイスのアクティベーション要求を受信するステップであり、前記アクティベーション要求は、加入者アイデンティティ及びアクセスポイント名（APN）を少なくとも有し、前記加入者アイデンティティは、ユーザ装置のアイデンティティを識別するために使用されるステップと、
前記第１のゲートウェイにより、前記アクティベーション要求の前記加入者アイデンティティ及び前記APN、並びに、事前に記憶されたマッピング関係に従って、加入ホームロケーションの第２のゲートウェイのゲートウェイアドレスを取得するステップであり、前記マッピング関係は、前記加入者アイデンティティと、前記加入ホームロケーションの前記第２のゲートウェイの前記ゲートウェイアドレスに対応する前記APNとの関係であるステップと、
前記第１のゲートウェイにより、前記アクティベーション要求の宛先インターネットプロトコル（IP）アドレスを前記加入ホームロケーションの前記第２のゲートウェイの前記ゲートウェイアドレスに変更し、前記アクティベーション要求を前記加入ホームロケーションの前記第２のゲートウェイに送信するステップであり、前記アクティベーション要求は、前記ローミングロケーションのネットワークデバイスの送信元アドレスを保持するステップと、
前記第１のゲートウェイにより、前記加入ホームロケーションの前記第２のゲートウェイにより返信された前記アクティベーション要求の第１の応答メッセージを前記ローミングロケーションのネットワークデバイスに送信し、前記ローミングロケーションのネットワークデバイスにより、前記第１の応答メッセージを前記ユーザ装置に転送するステップであり、前記第１の応答メッセージは、前記加入ホームロケーションの前記第２のゲートウェイの前記ゲートウェイアドレスを保持するステップと
を有し、
データは、前記加入ホームロケーションの前記第２のゲートウェイの前記ゲートウェイアドレスに従って、前記ユーザ装置と前記加入ホームロケーションの前記第２のゲートウェイとの間で送信されるデータ送信方法。
【請求項２】
第１のゲートウェイにより、ローミングロケーションのネットワークデバイスのアクティベーション要求を受信するステップであり、前記アクティベーション要求は、加入者アイデンティティ及びアクセスポイント名（APN）を少なくとも有し、前記加入者アイデンティティは、ユーザ装置のアイデンティティを識別するために使用されるステップと、
前記第１のゲートウェイにより、前記アクティベーション要求の前記加入者アイデンティティ及び前記APN、並びに、事前に記憶されたマッピング関係に従って、加入ホームロケーションの第２のゲートウェイのゲートウェイアドレスを取得するステップであり、前記マッピング関係は、前記加入者アイデンティティと、前記加入ホームロケーションの前記第２のゲートウェイの前記ゲートウェイアドレスに対応する前記APNとの関係であるステップと、
前記第１のゲートウェイにより、前記アクティベーション要求の宛先IPアドレスを前記加入ホームロケーションの前記第２のゲートウェイの前記ゲートウェイアドレスに変更し、前記アクティベーション要求に保持された前記ローミングロケーションのネットワークデバイスの送信元アドレスを前記第１のゲートウェイの前記ゲートウェイアドレスに変更し、変更されたアクティベーション要求を前記加入ホームロケーションの前記第２のゲートウェイに送信するステップと、
前記第１のゲートウェイにより、前記加入ホームロケーションにより返信された前記アクティベーション要求の第１の応答メッセージを前記ローミングロケーションのネットワークデバイスに送信し、前記ローミングロケーションのネットワークデバイスにより、前記第１の応答メッセージを前記ユーザ装置に転送するステップであり、前記第１の応答メッセージは、前記第１のゲートウェイの前記ゲートウェイアドレスを保持するステップと、
前記第１のゲートウェイにより、前記ユーザ装置により送信されたサービス要求を受信し、前記サービス要求を前記加入ホームロケーションの前記第２のゲートウェイに送信するステップであり、データは、前記第１のゲートウェイを使用することにより前記ユーザ装置と前記加入ホームロケーションの前記第２のゲートウェイとの間で送信されるステップと
を有するデータ送信方法。
【請求項３】
第１のゲートウェイにより、ローミングロケーションのネットワークデバイスのアクティベーション要求を受信するステップであり、前記アクティベーション要求は、加入者アイデンティティ及びアクセスポイント名（APN）を少なくとも有し、前記加入者アイデンティティは、ユーザ装置のアイデンティティを識別するために使用されるステップと、
前記第１のゲートウェイにより、前記アクティベーション要求の前記加入者アイデンティティ及び前記APN、並びに、事前に記憶されたマッピング関係に従って、加入ホームロケーションの第２のゲートウェイのゲートウェイアドレスを取得するステップであり、前記マッピング関係は、前記加入者アイデンティティと、前記加入ホームロケーションの前記第２のゲートウェイの前記ゲートウェイアドレスに対応する前記APNとの関係であるステップと、
前記第１のゲートウェイにより、第２の応答メッセージを前記ローミングロケーションのネットワークデバイスに送信するステップであり、前記第２の応答メッセージは、前記アクティベーション要求への前記第１のゲートウェイの応答メッセージであり、前記第２の応答メッセージは、前記加入ホームロケーションの前記第２のゲートウェイの前記ゲートウェイアドレスを保持するステップと、
前記ローミングロケーションのネットワークデバイスにより、前記ユーザ装置により送信された前記アクティベーション要求を前記加入ホームロケーションの前記第２のゲートウェイに再送信し、前記加入ホームロケーションの前記第２のゲートウェイにより返信された前記アクティベーション要求の第１の応答要求を前記ユーザ装置に送信するステップであり、前記第１の応答要求は、前記加入ホームロケーションの前記第２のゲートウェイの前記ゲートウェイアドレスを保持するステップと
を有し、
データは、前記加入ホームロケーションの前記第２のゲートウェイの前記ゲートウェイアドレスに従って、前記ユーザ装置と前記加入ホームロケーションの前記第２のゲートウェイとの間で送信されるデータ送信方法。
【請求項４】
アクティベーション要求を受信するように構成された受信ユニットであり、前記アクティベーション要求は、加入者アイデンティティ及びアクセスポイント名（APN）を少なくとも有し、前記加入者アイデンティティは、ユーザ装置のアイデンティティを識別するために使用される受信ユニットと、
前記アクティベーション要求の前記加入者アイデンティティ及び前記APN、並びに、事前に記憶されたマッピング関係に従って、加入ホームロケーションの第２のゲートウェイのゲートウェイアドレスを取得するように構成された取得ユニットであり、前記マッピング関係は、前記加入者アイデンティティと、前記加入ホームロケーションの前記第２のゲートウェイの前記ゲートウェイアドレスに対応する前記APNとの関係である取得ユニットと、
前記アクティベーション要求の宛先インターネットプロトコル（IP）アドレスを前記加入ホームロケーションの前記第２のゲートウェイの前記ゲートウェイアドレスに変更し、前記アクティベーション要求を前記加入ホームロケーションの前記第２のゲートウェイに送信するように構成された第１の変更ユニットであり、前記アクティベーション要求は、ローミングロケーションのネットワークデバイスの送信元アドレスを保持する第１の変更ユニットと、
前記加入ホームロケーションの前記第２のゲートウェイにより返信された前記アクティベーション要求の第１の応答メッセージを前記ローミングロケーションのネットワークデバイスに送信するように構成された送信ユニットであり、前記第１の応答メッセージは、前記加入ホームロケーションの前記第２のゲートウェイの前記ゲートウェイアドレスを保持する送信ユニットと
を有する第１のゲートウェイ。
【請求項５】
アクティベーション要求を受信するように構成された受信ユニットであり、前記アクティベーション要求は、加入者アイデンティティ及びアクセスポイント名（APN）を少なくとも有し、前記加入者アイデンティティは、ユーザ装置のアイデンティティを識別するために使用される受信ユニットと、
前記アクティベーション要求の前記加入者アイデンティティ及び前記APN、並びに、事前に記憶されたマッピング関係に従って、加入ホームロケーションの第２のゲートウェイのゲートウェイアドレスを取得するように構成された取得ユニットであり、前記マッピング関係は、前記加入者アイデンティティと、前記加入ホームロケーションの前記第２のゲートウェイの前記ゲートウェイアドレスに対応する前記APNとの関係である取得ユニットと、
前記アクティベーション要求の宛先IPアドレスを前記加入ホームロケーションの前記第２のゲートウェイの前記ゲートウェイアドレスに変更し、前記アクティベーション要求に保持されたローミングロケーションのネットワークデバイスの送信元アドレスを第１のゲートウェイの前記ゲートウェイアドレスに変更し、変更されたアクティベーション要求を前記加入ホームロケーションの前記第２のゲートウェイに送信するように構成された第２の変更ユニットと、
前記加入ホームロケーションにより返信された前記アクティベーション要求の第１の応答メッセージを前記ローミングロケーションのネットワークデバイスに送信するように構成された送信ユニットであり、前記第１の応答メッセージは、前記第１のゲートウェイの前記ゲートウェイアドレスを保持する送信ユニットと
を有し、
前記受信ユニットは、前記ユーザ装置により送信されたサービス要求を受信するように更に構成され、
前記送信ユニットは、前記サービス要求を前記加入ホームロケーションの前記第２のゲートウェイに送信するように更に構成される第１のゲートウェイ。
【請求項６】
アクティベーション要求を受信するように構成された受信ユニットであり、前記アクティベーション要求は、加入者アイデンティティ及びアクセスポイント名（APN）を少なくとも有し、前記加入者アイデンティティは、ユーザ装置のアイデンティティを識別するために使用される受信ユニットと、
前記アクティベーション要求の前記加入者アイデンティティ及び前記APN、並びに、事前に記憶されたマッピング関係に従って、加入ホームロケーションの第２のゲートウェイのゲートウェイアドレスを取得するように構成された取得ユニットであり、前記マッピング関係は、前記加入者アイデンティティと、前記加入ホームロケーションの前記第２のゲートウェイの前記ゲートウェイアドレスに対応する前記APNとの関係である取得ユニットと、
第２の応答メッセージをローミングロケーションのネットワークデバイスに送信するように構成された送信ユニットであり、前記第２の応答メッセージは、前記アクティベーション要求への第１のゲートウェイの応答メッセージであり、前記第２の応答メッセージは、前記加入ホームロケーションの前記第２のゲートウェイの前記ゲートウェイアドレスを保持する送信ユニットと
を有する第１のゲートウェイ。
【発明の詳細な説明】
【技術分野】
【０００１】
本発明は、通信の分野に関し、特にデータ送信方法及びゲートウェイに関する。
【背景技術】
【０００２】
モバイルオペレータが大規模な汎用パケット無線サービス（GPRS）/発展型パケットコア（EPC）を確立する場合、便利な管理のために階層的ネットワーキングが採用される。例えば、チャイナ・ユニコム及びチャイナ・モバイルの双方のGPRS/EPCネットワークは、省を単位として利用することによりネットワーク化されており、省のGPRS/EPCネットワークは、省のユーザにGPRS/EPCサービスを提供する役目をしている。すなわち、同じ公衆陸上モバイルネットワーク（Public  Land  Mobile  Network、PLMN）は、複数の加入ホームロケーションのGPRS/EPCネットワークに分割され得る。一般的なサービスは、以下の３つの場合を含む。すなわち、特定のPLMNの加入ホームロケーションにおけるサービス、非ホームロケーションにローミングするが依然としてPLMNに属するサービス、及び他のPLMNにローミングするサービスである。
【０００３】
非ホームPLMNにローミングするサービスの適用シナリオでは、ユーザ装置により開始されたサービス要求は、ローミングロケーションのネットワークデバイスを使用することにより、ローミングロケーションのネットワークにアクセスし、ゲートウェイ交換機のゲートウェイに送信され、最終的に、ゲートウェイ交換機のゲートウェイを使用することにより、外部のパケットデータネットワーク（Packet  Data  Network、PDN）に送信される。ローミングロケーションのネットワークデバイスは、サービングGPRSサポートノード（Serving  GPRS  Support  Node、SGSN）/サービングゲートウェイ（Serving  Gateway、S-GW）でもよく、ゲートウェイ交換機のゲートウェイは、ゲートウェイGPRSサポートノード（Gateway  GPRS  Support  Node、GGSN）PDNゲートウェイ（PDN  Gateway、P-GW）でもよい。
【０００４】
ユーザ装置がアクセス要求を開始する場合、アクセスポイント名としてアクセスポイント名（Access  Point  Name、APN）を指定する必要がある。APNは、指定された外部のネットワーク及びサービスのInternetサービスプロバイダ（Internet  Server  Provider、ISP）を識別するために使用される。ローミングのネットワークデバイスでは、APNに対応するゲートウェイ交換機のゲートウェイアドレスは、APNに従ってDNSドメイン名を解析することにより取得され得る。
【０００５】
一般的に、APNは２つの種類を含む。すなわち、全体ネットワークアクセスをサポートする一般APNと、地域アクセスをサポートする地域APNとを含む。一般APNは、全国的なGPRS/EPCネットワークを使用することにより、ユーザにより開始されたサービス要求をInternetに接続するために使用され、地域APNは、特定の省のGPRS/EPCネットワークを通じて、ユーザにより開始されたサービス要求をInternetに接続するために使用される。
【０００６】
非ホームPLMNネットワークへのユーザローミングについて、一般APNが使用される場合、現在の処理方法は、ゲートウェイ交換機のゲートウェイにおける直接のアクティベーションにより実行され、ユーザの加入ホームロケーションのGGSN/P-GWに戻ることができない。ユーザがローミング中にホームロケーションのGGSN/PGWに戻るという目的は、移動電話における地名サフィックスを保持するAPNを設定し、一般APNの構成を取り消すことにより実現され得るが、１つの一般APNから複数の地域APNを導出することにより、APN管理が増加する。ユーザ装置では、ローカル加入ネットワークの地域APNのみが分かり、これは、モバイルオペレータグループ会社が統一サービス展開方針を確立するのに有益ではない。
【発明の概要】
【０００７】
本発明の実施例は、どのように非ホームPLMNにローミングするユーザが一般APN及び加入ネットワークを使用することによりInternetにアクセスするかという問題を解決することを目的とするデータ送信方法を提供する。
【０００８】
第１の態様によれば、データ送信方法が提供され、ローミングロケーションのネットワークデバイスのアクティベーション要求を受信するステップであり、アクティベーション要求は、加入者アイデンティティ及びアクセスポイント名（APN）を少なくとも含み、加入者アイデンティティは、ユーザ装置のアイデンティティを識別するために使用されるステップと、アクティベーション要求の加入者アイデンティティ及びAPNに従って、加入ホームロケーションのゲートウェイのゲートウェイアドレスを取得し、加入ホームロケーションのゲートウェイを使用することによりデータを送信するステップとを含む。
【０００９】
第１の態様を参照して、第１の態様の第１の可能な実現方式では、アクティベーション要求の加入者アイデンティティ及びAPNに従って、加入ホームロケーションのゲートウェイのゲートウェイアドレスを取得するステップは、アクティベーション要求の加入者アイデンティティ及びAPN、並びに、ドメインネームシステム（DNS）に事前に記憶されたマッピング関係に従って、加入ホームロケーションのゲートウェイのゲートウェイアドレスを取得するステップであり、マッピング関係は、加入者アイデンティティと、加入ホームロケーションのゲートウェイのゲートウェイアドレスに対応するAPNとの関係であるステップ、或いは、アクティベーション要求の加入者アイデンティティ及びAPN、並びに、事前に記憶されたマッピング関係に従って、加入ホームロケーションのゲートウェイのゲートウェイアドレスを取得するステップであり、マッピング関係は、加入者アイデンティティと、加入ホームロケーションのゲートウェイのゲートウェイアドレスに対応するAPNとの関係であるステップを含む。
【００１０】
第１の態様の第１の可能な実現方式を参照して、第１の態様の第２の可能な実現方式では、加入ホームロケーションのゲートウェイを使用することによりデータを送信するステップは、第１のゲートウェイにより、アクティベーション要求の宛先インターネットプロトコル（IP）アドレスを加入ホームロケーションのゲートウェイのゲートウェイアドレスに変更し、アクティベーション要求を加入ホームロケーションのゲートウェイに送信するステップであり、アクティベーション要求は、ローミングロケーションのネットワークデバイスの送信元アドレスを保持するステップと、第１のゲートウェイにより、加入ホームロケーションのゲートウェイにより返信されたアクティベーション要求の第１の応答メッセージをローミングロケーションのネットワークデバイスに送信し、ローミングロケーションのネットワークデバイスにより、第１の応答メッセージをユーザ装置に転送するステップであり、第１の応答メッセージは、加入ホームロケーションのゲートウェイのゲートウェイアドレスを保持するステップと、ユーザ装置により、第１の応答メッセージに保持された加入ホームロケーションのゲートウェイのゲートウェイアドレスに従って、加入ホームロケーションのゲートウェイを使用することによりデータを直接送信するステップとを含む。
【００１１】
第１の態様の第１の可能な実現方式を参照して、第１の態様の第３の可能な実現方式では、加入ホームロケーションのゲートウェイを使用することによりデータを送信するステップは、第１のゲートウェイにより、アクティベーション要求の宛先IPアドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、変更されたアクティベーション要求を加入ホームロケーションのゲートウェイに送信するステップと、第１のゲートウェイにより、加入ホームロケーションにより返信されたアクティベーション要求の第１の応答メッセージをローミングロケーションのネットワークデバイスに送信し、ローミングロケーションのネットワークデバイスにより、第１の応答メッセージをユーザ装置に転送するステップであり、第１の応答メッセージは、ゲートウェイのゲートウェイアドレスを保持するステップと、ゲートウェイにより、ユーザ装置により送信されたサービス要求を受信し、ユーザ装置及び加入ホームロケーションのゲートウェイがゲートウェイを使用することによりデータを送信するため、サービス要求を加入ホームロケーションのゲートウェイに送信するステップとを含む。
【００１２】
第１の態様を参照して、第１の態様の第４の可能な実現方式では、加入ホームロケーションのゲートウェイを使用することによりデータを送信するステップは、第１のゲートウェイにより、第２の応答メッセージをローミングロケーションのネットワークデバイスに送信するステップであり、第２の応答メッセージは、アクティベーション要求へのゲートウェイの応答メッセージであり、第２の応答メッセージは、加入ホームロケーションのゲートウェイのゲートウェイアドレスを保持するステップと、ローミングロケーションのネットワークデバイスにより、ユーザ装置により送信されたアクティベーション要求を加入ホームロケーションのゲートウェイに再送信し、加入ホームロケーションのゲートウェイにより返信されたアクティベーション要求の第１の応答要求をユーザ装置に送信するステップであり、第１の応答要求は、加入ホームロケーションのゲートウェイのゲートウェイアドレスを保持するステップと、ユーザ装置により、第１の応答メッセージに保持された加入ホームロケーションのゲートウェイのゲートウェイアドレスに従って、加入ホームロケーションのゲートウェイを使用することによりデータを直接送信するステップとを含む。
【００１３】
第２の態様によれば、ゲートウェイが提供され、アクティベーション要求を受信するように構成された受信ユニットであり、アクティベーション要求は、加入者アイデンティティ及びアクセスポイント名（APN）を少なくとも含み、加入者アイデンティティは、ユーザ装置のアイデンティティを識別するために使用される受信ユニットと、アクティベーション要求の加入者アイデンティティ及びAPNに従って、加入ホームロケーションのゲートウェイのゲートウェイアドレスを取得するように構成された取得ユニットと、加入ホームロケーションのゲートウェイを使用することによりデータを送信するように構成された処理ユニットとを含む。
【００１４】
第２の態様を参照して、第２の態様の第１の可能な実現方式では、取得ユニットは、具体的に、アクティベーション要求の加入者アイデンティティ及びAPN、並びに、ドメインネームシステム（DNS）に事前に記憶されたマッピング関係に従って、加入ホームロケーションのゲートウェイのゲートウェイアドレスを取得するように構成され、マッピング関係は、加入者アイデンティティと、加入ホームロケーションのゲートウェイのゲートウェイアドレスに対応するAPNとの関係であり、或いは、アクティベーション要求の加入者アイデンティティ及びAPN、並びに、事前に記憶されたマッピング関係に従って、加入ホームロケーションのゲートウェイのゲートウェイアドレスを取得するように構成され、マッピング関係は、加入者アイデンティティと、加入ホームロケーションのゲートウェイのゲートウェイアドレスに対応するAPNとの関係である。
【００１５】
第２の態様の第１の可能な実現方式を参照して、第２の態様の第２の可能な実現方式では、処理ユニットは、アクティベーション要求の宛先インターネットプロトコル（IP）アドレスを加入ホームロケーションのゲートウェイのゲートウェイアドレスに変更し、アクティベーション要求を加入ホームロケーションのゲートウェイに送信するように構成された第１の変更ユニットであり、アクティベーション要求は、ローミングロケーションのネットワークデバイスの送信元アドレスを保持する第１の変更ユニットと、ゲートウェイにより、加入ホームロケーションのゲートウェイにより返信されたアクティベーション要求の第１の応答メッセージをローミングロケーションのネットワークデバイスに送信するように構成された送信ユニットであり、ローミングロケーションのネットワークデバイスは、第１の応答メッセージをユーザ装置に転送し、ユーザ装置が第１の応答メッセージに保持された加入ホームロケーションのゲートウェイのゲートウェイアドレスに従って、加入ホームロケーションのゲートウェイを使用することによりデータを直接送信するため、第１の応答メッセージは、加入ホームロケーションのゲートウェイのゲートウェイアドレスを保持する送信ユニットとを含む。
【００１６】
第２の態様の第１の可能な実現方式を参照して、第２の態様の第３の可能な実現方式では、処理ユニットは、アクティベーション要求の宛先IPアドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、変更されたアクティベーション要求を加入ホームロケーションのゲートウェイに送信するように構成された第２の変更ユニットと、加入ホームロケーションにより返信されたアクティベーション要求の第１の応答メッセージをローミングロケーションのネットワークデバイスに送信するように構成された送信ユニットであり、ローミングロケーションのネットワークデバイスは、第１の応答メッセージをユーザ装置に転送し、第１の応答メッセージは、ゲートウェイのゲートウェイアドレスを保持する送信ユニットと、ユーザ装置により送信されたサービス要求を受信するように構成された受信ユニットと、ユーザ装置及び加入ホームロケーションのゲートウェイがゲートウェイを使用することによりデータを送信するため、サービス要求を加入ホームロケーションのゲートウェイに送信するように構成された送信ユニットとを含む。
【００１７】
第２の態様の第１の可能な実現方式を参照して、第２の態様の第４の可能な実現方式では、処理ユニットは、第２の応答メッセージをローミングロケーションのネットワークデバイスに送信するように構成された送信ユニットであり、第２の応答メッセージは、アクティベーション要求へのゲートウェイの応答メッセージであり、ローミングロケーションのネットワークデバイスがユーザ装置により送信されたアクティベーション要求を加入ホームロケーションのゲートウェイに再送信し、加入ホームロケーションのゲートウェイにより返信されたアクティベーション要求の第１の応答要求をユーザ装置に送信するため、第２の応答メッセージは、加入ホームロケーションのゲートウェイのゲートウェイアドレスを保持し、第１の応答要求は、加入ホームロケーションのゲートウェイのゲートウェイアドレスを保持し、ユーザ装置は、第１の応答メッセージに保持された加入ホームロケーションのゲートウェイのゲートウェイアドレスに従って、加入ホームロケーションのゲートウェイを使用することによりデータを直接送信する送信ユニットを含む。
【００１８】
本発明の実施例は、データ送信方法を提供する。この方法は、アクティベーション要求を受信し、アクティベーション要求は、加入者アイデンティティ及びアクセスポイント名（APN）を少なくとも含み、加入者アイデンティティは、ユーザ装置のアイデンティティを識別するために使用され、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得することにより、共通サービスの種類毎に１つのみのAPNが存在することを実現する。このように、APNの数量が減少する可能性があり、APNの管理が簡略化され、ネットワーク構造に変更が必要とされず、加入ホームロケーションに戻る必要がある一般APNが柔軟に構成される可能性があり、APNのホームロケーションの解析を実行することのみが必要となり、シグナリング手順が簡略化される可能性がある。これにより、ゲートウェイデバイスの処理容量の要件が低減される。
【図面の簡単な説明】
【００１９】
本発明の実施例の技術的対策を明確に説明するために、以下に、実施例又は従来技術を説明するために必要な添付図面を簡単に紹介する。明らかに、以下の説明において添付図面は、本発明の単に幾つかの実施例を示しているに過ぎず、当業者は、創造的取り組みを行うことなく、これらの添付図面から依然として他の図面を導き得る。
【図１】本発明の実施例によるデータ送信の適用シナリオ図
【図２】本発明の実施例によるデータ送信方法のフローチャート
【図３】本発明の実施例によるデータ送信方法の概略図
【図４】本発明の実施例によるデータ送信方法の概略図
【図５】本発明の実施例によるデータ送信方法の概略図
【図６】本発明の実施例によるゲートウェイの装置の構成図
【図７】本発明の実施例によるゲートウェイの装置の構成図
【図８】本発明の実施例によるゲートウェイの装置の構成図
【図９】本発明の実施例によるゲートウェイの装置の構成図
【図１０】本発明の実施例によるゲートウェイの装置の構成図
【発明を実施するための形態】
【００２０】
以下に、本発明の実施例の添付図面を参照して、本発明の実施例の技術的対策を明確に説明する。明らかに、説明する実施例は、本発明の実施例の全てではなく、一部に過ぎない。創造的取り組みを行うことなく、本発明の実施例に基づいて当業者により得られる全ての他の実施例は、本発明の保護範囲内に入るものとする。
【００２１】
図１を参照する。図１に示すように、ユーザが非ホームPLMNにローミングする場合、ユーザ装置及びローミングロケーションのネットワークデバイスは、アクティベーション要求を送信する。ローミングロケーションのネットワークデバイスは、アクティベーション要求を第１のゲートウェイに転送し、第１のゲートウェイは、アクティベーション要求の加入者アイデンティティ及びアクセスポイント名（Access  Point  Name、APN）に従って、加入ホームロケーションのゲートウェイのゲートウェイアドレスを取得する。これにより、図１に点線で示されている、ユーザ装置及び加入ホームロケーションのゲートウェイがデータを直接送信する、或いは、図１に点線で示されている、ユーザ装置が第１のゲートウェイ及び加入ホームロケーションのゲートウェイを使用することによりデータを送信する。
【００２２】
3Gネットワークでは、ローミングロケーションのネットワークデバイスは、SGSNでもよく、4Gネットワークでは、ローミングロケーションのネットワークデバイスは、MMEでもよい。
【００２３】
本発明の実施例によるデータ送信方法のフローチャートである図２を参照する。図２に示すように、この方法は以下のステップを含む。
【００２４】
ステップ201：ローミングロケーションのネットワークデバイスのアクティベーション要求を受信する。アクティベーション要求は、加入者アイデンティティ及びアクセスポイント名（APN）を少なくとも含み、加入者アイデンティティは、ユーザ装置のアイデンティティを識別するために使用される。
【００２５】
加入者アイデンティティは、ユーザ装置のアイデンティティを識別するために使用される。例えば、加入者アイデンティティは、国際移動体加入者識別番号（IMSI）又はMobile  Station  International  ISDN  Number（MSISDN）でもよい。
【００２６】
ステップ202：アクティベーション要求の加入者アイデンティティ及びAPNに従って、加入ホームロケーションのゲートウェイのゲートウェイアドレスを取得し、加入ホームロケーションのゲートウェイを使用することによりデータを送信する。
【００２７】
任意選択で、アクティベーション要求の加入者アイデンティティ及びAPNに従って、加入ホームロケーションのゲートウェイのゲートウェイアドレスを取得することは、アクティベーション要求の加入者アイデンティティ及びAPN、並びに、ドメインネームシステム（DNS）に事前に記憶されたマッピング関係に従って、加入ホームロケーションのゲートウェイのゲートウェイアドレスを取得し、マッピング関係は、加入者アイデンティティと、加入ホームロケーションのゲートウェイのゲートウェイアドレスに対応するAPNとの関係であること、或いは、アクティベーション要求の加入者アイデンティティ及びAPN、並びに、事前に記憶されたマッピング関係に従って、加入ホームロケーションのゲートウェイのゲートウェイアドレスを取得し、マッピング関係は、加入者アイデンティティと、加入ホームロケーションのゲートウェイのゲートウェイアドレスに対応するAPNとの関係であることを含む。
【００２８】
第１の実施例によれば、加入ホームロケーションのゲートウェイを使用することによりデータを送信することは、第１のゲートウェイにより、アクティベーション要求の宛先インターネットプロトコル（IP）アドレスを加入ホームロケーションのゲートウェイのゲートウェイアドレスに変更し、アクティベーション要求を加入ホームロケーションのゲートウェイに送信し、アクティベーション要求は、ローミングロケーションのネットワークデバイスの送信元アドレスを保持し、第１のゲートウェイにより、加入ホームロケーションのゲートウェイにより返信されたアクティベーション要求の第１の応答メッセージをローミングロケーションのネットワークデバイスに送信し、ローミングロケーションのネットワークデバイスにより、第１の応答メッセージをユーザ装置に転送し、第１の応答メッセージは、加入ホームロケーションのゲートウェイのゲートウェイアドレスを保持し、ユーザ装置により、第１の応答メッセージに保持された加入ホームロケーションのゲートウェイのゲートウェイアドレスに従って、加入ホームロケーションのゲートウェイを使用することによりデータを直接送信することを含む。
【００２９】
具体的に、本発明の実施例によるデータ送信方法の概略図である図３を参照する。図３に示すように、この方法は以下のステップを含む。
【００３０】
ステップ301：ローミングロケーションのネットワークデバイスは、ユーザ装置により送信されたアクティベーション要求を受信する。
【００３１】
ステップ302：ローミングロケーションのネットワークデバイスは、アクティベーション要求を第１のゲートウェイに送信する。
【００３２】
第１のゲートウェイは、ゲートウェイ交換機に確立されたプロキシゲートウェイデバイスであり、ゲートウェイデバイスは、プロキシ機能を備えたネットワークエレメントエンティティでもよく、また、既存の標準的なゲートウェイ交換機のゲートウェイの統合プロキシ機能を備えたネットワークエレメントエンティティでもよい。
【００３３】
ステップ303：第１のゲートウェイは、アクティベーション要求の宛先インターネットプロトコル（Internet  Protocol、IP）アドレスを加入ホームロケーションのゲートウェイのゲートウェイアドレスに変更し、アクティベーション要求を加入ホームロケーションのゲートウェイに送信する。アクティベーション要求は、ローミングロケーションのネットワークデバイスの送信元アドレスを保持する。
【００３４】
具体的に、第１のゲートウェイは、アクティベーション要求の加入者アイデンティティ及びAPN、並びに、DNSに事前に記憶されたマッピング関係に従って、加入ホームロケーションのゲートウェイのゲートウェイアドレスを取得する。或いは、
【００３５】
加入ホームロケーションのゲートウェイのゲートウェイアドレスは、アクティベーション要求の加入者アイデンティティ及びAPN、並びに、第１のゲートウェイに事前に記憶されたマッピング関係に従って取得される。
【００３６】
ステップ304：加入ホームロケーションのゲートウェイがゲートウェイにより送信されたアクティベーション要求を受信した場合、ローミングロケーションのネットワークデバイスの送信元アドレスは、アクティベーション要求から取得され、第１の応答メッセージを第１のゲートウェイに返信する。第１の応答メッセージは、加入ホームロケーションのゲートウェイのゲートウェイアドレスを保持する。
【００３７】
ステップ305：第１のゲートウェイは、第１の応答メッセージをローミングロケーションのネットワークデバイスに送信する。
【００３８】
ステップ306：ローミングロケーションのネットワークデバイスは、第１の応答メッセージをユーザ装置に送信する。
【００３９】
ステップ307：ユーザ装置は、第１の応答メッセージを受信し、第１の応答メッセージから加入ホームロケーションのゲートウェイのゲートウェイアドレスを取得し、加入ホームロケーションのゲートウェイのゲートウェイアドレスに従って、ユーザ装置とデータを直接送信する。
【００４０】
ステップ304において加入ホームロケーションのゲートウェイがローミングロケーションのネットワークデバイスの送信元アドレスを既に取得しており、ステップ307においてユーザ装置が加入ホームロケーションのゲートウェイのゲートウェイアドレスを既に取得しているため、ユーザ装置及び加入ホームロケーションのゲートウェイは、データを直接送信してもよい。
【００４１】
第１の実施例におけるステップ304、ステップ305、ステップ306及びステップ307は、図２に記載した実施例のステップ202の具体的な詳細である。ステップ301、ステップ302及びステップ303は、図２に記載した実施例のステップ201の具体的な詳細である。第１の実施例の具体的なステップの説明は、図２の関係するステップの説明を参照してもよい。
【００４２】
第２の実施例によれば、加入ホームロケーションのゲートウェイを使用することによりデータを送信することは、第１のゲートウェイにより、アクティベーション要求の宛先IPアドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、変更されたアクティベーション要求を加入ホームロケーションのゲートウェイに送信し、第１のゲートウェイにより、加入ホームロケーションにより返信されたアクティベーション要求の第１の応答メッセージをローミングロケーションのネットワークデバイスに送信し、ローミングロケーションのネットワークデバイスにより、第１の応答メッセージをユーザ装置に転送し、第１の応答メッセージは、ゲートウェイのゲートウェイアドレスを保持し、ゲートウェイにより、ユーザ装置により送信されたサービス要求を受信し、ユーザ装置及び加入ホームロケーションのゲートウェイがデータを送信するため、サービス要求を加入ホームロケーションのゲートウェイに送信することを含む。
【００４３】
具体的に、本発明の実施例によるデータ送信方法の概略図である図４を参照する。図４に示すように、この方法は以下のステップを含む。
【００４４】
ステップ401：ローミングロケーションのネットワークデバイスは、ユーザ装置により送信されたアクティベーション要求を受信する。
【００４５】
ステップ402：ローミングロケーションのネットワークデバイスは、アクティベーション要求をゲートウェイに送信する。
【００４６】
ステップ403：第１のゲートウェイは、アクティベーション要求の宛先インターネットプロトコル（Internet  Protocol、IP）アドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、アクティベーション要求を加入ホームロケーションのゲートウェイに送信する。
【００４７】
具体的に、第１のゲートウェイは、アクティベーション要求の加入者アイデンティティ及びAPN、並びに、DNSに事前に記憶されたマッピング関係に従って、加入ホームロケーションのゲートウェイのゲートウェイアドレスを取得する。或いは、
【００４８】
第１のゲートウェイは、アクティベーション要求の加入者アイデンティティ及びAPN、並びに、第１のゲートウェイに事前に記憶されたマッピング関係に従って、加入ホームロケーションのゲートウェイのゲートウェイアドレスを取得する。
【００４９】
ステップ404：加入ホームロケーションのゲートウェイは、第１の応答メッセージを第１のゲートウェイに返信する。第１の応答メッセージは、第１のゲートウェイのゲートウェイアドレスを保持する。
【００５０】
ステップ405：第１のゲートウェイは、第１の応答メッセージをローミングロケーションのネットワークデバイスに送信する。
【００５１】
ステップ406：ローミングロケーションのネットワークデバイスは、第１の応答メッセージをユーザ装置に送信する。
【００５２】
ステップ407：ユーザ装置は、第１の応答メッセージを受信し、第１の応答メッセージから第１のゲートウェイのゲートウェイアドレスを取得し、第１のゲートウェイを使用することにより、加入ホームロケーションのゲートウェイとデータを直接送信する。
【００５３】
ステップ404においてアクティベーション要求がローミングロケーションのネットワークデバイスの送信元アドレスを保持していないため、加入ホームロケーションのゲートウェイは、ローミングロケーションのネットワークデバイスの送信元アドレスを取得することができない。しかし、ゲートウェイは、ローミングロケーションのネットワークデバイスの送信元アドレス及び加入ホームロケーションのゲートウェイのゲートウェイアドレスを取得してもよい。従って、ローミングロケーションのネットワークデバイスは、第１のゲートウェイ及び加入ホームロケーションのゲートウェイを使用することにより、データを送信してもよい。
【００５４】
従って、ステップ407において、ユーザ装置は、第１のゲートウェイ及び加入ホームロケーションのゲートウェイを使用することによりデータを送信してもよい。
【００５５】
第２の実施例におけるステップ404、ステップ405、ステップ406及びステップ407は、図２に記載した実施例のステップ202の具体的な詳細である。ステップ401、ステップ402及びステップ403は、図２に記載した実施例のステップ201の具体的な詳細である。第２の実施例の具体的なステップの説明は、図２の関係するステップの説明を参照してもよい。
【００５６】
第３の実施例によれば、加入ホームロケーションのゲートウェイを使用することによりデータを送信することは、第１のゲートウェイにより、第２の応答メッセージをローミングロケーションのネットワークデバイスに送信し、第２の応答メッセージは、アクティベーション要求へのゲートウェイの応答メッセージであり、第２の応答メッセージは、加入ホームロケーションのゲートウェイのゲートウェイアドレスを保持し、ローミングロケーションのネットワークデバイスにより、ユーザ装置により送信されたアクティベーション要求を加入ホームロケーションのゲートウェイに再送信し、加入ホームロケーションのゲートウェイにより返信されたアクティベーション要求の第１の応答要求をユーザ装置に送信し、第１の応答要求は、加入ホームロケーションのゲートウェイのゲートウェイアドレスを保持し、ユーザ装置により、第１の応答メッセージに保持された加入ホームロケーションのゲートウェイのゲートウェイアドレスに従って、加入ホームロケーションのゲートウェイを使用することによりデータを直接送信することを含む。
【００５７】
具体的に、本発明の実施例によるデータ送信方法の概略図である図５を参照する。図５に示すように、この方法は以下のステップを含む。
【００５８】
ステップ501：ローミングロケーションのネットワークデバイスは、ユーザ装置により送信されたアクティベーション要求を受信する。
【００５９】
ステップ502：ローミングロケーションのネットワークデバイスは、アクティベーション要求をゲートウェイに送信する。
【００６０】
ステップ503：第１のゲートウェイは、第２の応答メッセージをローミングロケーションのネットワークデバイスに送信する。第２の応答メッセージは、アクティベーション要求への第１のゲートウェイの応答メッセージであり、第２の応答メッセージは、加入ホームロケーションのゲートウェイのゲートウェイアドレスを保持する。
【００６１】
具体的に、ゲートウェイは、アクティベーション要求の加入者アイデンティティ及びAPN、並びに、DNSに事前に記憶されたマッピング関係に従って、加入ホームロケーションのゲートウェイのゲートウェイアドレスを取得する。或いは、
【００６２】
ゲートウェイは、アクティベーション要求の加入者アイデンティティ及びAPN、並びに、第１のゲートウェイに事前に記憶されたマッピング関係に従って、加入ホームロケーションのゲートウェイのゲートウェイアドレスを取得する。
【００６３】
ステップ504：ローミングロケーションのネットワークデバイスは、第２の応答メッセージに従って、加入ホームロケーションのゲートウェイのゲートウェイアドレスを取得し、加入ホームロケーションのゲートウェイのゲートウェイアドレスに従って、アクティベーション要求を加入ホームロケーションのゲートウェイに送信する。
【００６４】
ステップ505：加入ホームロケーションのゲートウェイは、第１の応答要求をローミングロケーションのネットワークデバイスに送信する。第１の応答要求は、加入ホームロケーションのゲートウェイのゲートウェイアドレスを保持する。
【００６５】
ステップ506：ローミングロケーションのネットワークデバイスは、第１の応答メッセージをユーザ装置に転送する。
【００６６】
第１の応答要求を受信した後に、ユーザ装置は、第１の応答要求に従って加入ホームロケーションのゲートウェイのゲートウェイアドレスを取得する。
【００６７】
ステップ507：ユーザ装置及び加入ホームロケーションのゲートウェイは、データを直接送信する。
【００６８】
ステップ504においてローミングロケーションのネットワークデバイスが加入ホームロケーションのゲートウェイのゲートウェイアドレスを既に取得しており、ステップ304において加入ホームロケーションのゲートウェイがローミングロケーションのネットワークデバイスの送信元アドレスを既に取得しているため、ユーザ装置及び加入ホームロケーションのゲートウェイは、データを直接送信してもよい。
【００６９】
第３の実施例におけるステップ504、ステップ505、ステップ506及びステップ507は、図２に記載した実施例のステップ202の具体的な詳細である。ステップ501、ステップ502及びステップ503は、図２に記載した実施例のステップ201の具体的な詳細である。第３の実施例の具体的なステップの説明は、図２の関係するステップの説明を参照してもよい。
【００７０】
本発明のこの実施例は、データ送信方法を提供する。この方法は、アクティベーション要求を受信し、アクティベーション要求は、加入者アイデンティティ及びアクセスポイント名（APN）を少なくとも含み、加入者アイデンティティは、ユーザ装置のアイデンティティを識別するために使用され、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得することにより、共通サービスの種類毎に１つのみのAPNが存在することを実現する。このように、APNの数量が減少する可能性があり、APNの管理が簡略化され、ネットワーク構造に変更が必要とされず、加入ホームロケーションに戻る必要がある一般APNが柔軟に構成される可能性があり、APNのホームロケーションの解析を実行することのみが必要となり、シグナリング手順が簡略化される可能性がある。これにより、ゲートウェイデバイスの処理容量の要件が低減される。
【００７１】
本発明の実施例によるゲートウェイの装置の構成図である図６を参照する。図６に示すように、ゲートウェイは以下のユニット、すなわち、アクティベーション要求を受信するように構成された受信ユニット601であり、アクティベーション要求は、加入者アイデンティティ及びアクセスポイント名（APN）を少なくとも含み、加入者アイデンティティは、ユーザ装置のアイデンティティを識別するために使用される受信ユニット601と、アクティベーション要求の加入者アイデンティティ及びAPNに従って、加入ホームロケーションのゲートウェイのゲートウェイアドレスを取得するように構成された取得ユニット602と、加入ホームロケーションのゲートウェイを使用することによりデータを送信するように構成された処理ユニットとを含む。
【００７２】
具体的に、取得ユニット602は、具体的に、アクティベーション要求の加入者アイデンティティ及びAPN、並びに、ドメインネームシステム（DNS）に事前に記憶されたマッピング関係に従って、加入ホームロケーションのゲートウェイのゲートウェイアドレスを取得するように構成され、マッピング関係は、加入者アイデンティティと、加入ホームロケーションのゲートウェイのゲートウェイアドレスに対応するAPNとの関係であり、或いは、アクティベーション要求の加入者アイデンティティ及びAPN、並びに、事前に記憶されたマッピング関係に従って、加入ホームロケーションのゲートウェイのゲートウェイアドレスを取得するように構成され、マッピング関係は、加入者アイデンティティと、加入ホームロケーションのゲートウェイのゲートウェイアドレスに対応するAPNとの関係である。
【００７３】
第１の実施例によれば、本発明の実施例によるゲートウェイの装置の構成図である図７を参照する。図７に示すように、ゲートウェイは以下のユニット、すなわち、アクティベーション要求を受信するように構成された受信ユニット701であり、アクティベーション要求は、加入者アイデンティティ及びアクセスポイント名（APN）を少なくとも含み、加入者アイデンティティは、ユーザ装置のアイデンティティを識別するために使用される受信ユニット701と、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得するように構成された取得ユニット702と、アクティベーション要求の宛先インターネットプロトコル（IP）アドレスを加入ホームロケーションのゲートウェイのゲートウェイアドレスに変更し、アクティベーション要求を加入ホームロケーションのゲートウェイに送信するように構成された第１の変更ユニット703であり、アクティベーション要求は、ローミングロケーションのネットワークデバイスの送信元アドレスを保持する第１の変更ユニット703と、ゲートウェイにより、加入ホームロケーションのゲートウェイにより返信されたアクティベーション要求の第１の応答メッセージをローミングロケーションのネットワークデバイスに送信するように構成された送信ユニット704であり、ローミングロケーションのネットワークデバイスは、第１の応答メッセージをユーザ装置に転送し、ユーザ装置が第１の応答メッセージに保持された加入ホームロケーションのゲートウェイのゲートウェイアドレスに従って、加入ホームロケーションのゲートウェイを使用することによりデータを直接送信するため、第１の応答メッセージは、加入ホームロケーションのゲートウェイのゲートウェイアドレスを保持する送信ユニット704とを含む。
【００７４】
第２の実施例によれば、本発明の実施例によるゲートウェイの装置の構成図である図８を参照する。図８に示すように、ゲートウェイは以下のユニット、すなわち、アクティベーション要求を受信するように構成された受信ユニット801であり、アクティベーション要求は、加入者アイデンティティ及びアクセスポイント名（APN）を少なくとも含み、加入者アイデンティティは、ユーザ装置のアイデンティティを識別するために使用される受信ユニット801と、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得するように構成された取得ユニット802と、アクティベーション要求の宛先IPアドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、変更されたアクティベーション要求を加入ホームロケーションのゲートウェイに送信するように構成された第２の変更ユニット803と、加入ホームロケーションにより返信されたアクティベーション要求の第１の応答メッセージをローミングロケーションのネットワークデバイスに送信するように構成された送信ユニット804であり、ローミングロケーションのネットワークデバイスは、第１の応答メッセージをユーザ装置に転送し、第１の応答メッセージは、ゲートウェイのゲートウェイアドレスを保持する送信ユニット804と、ユーザ装置により送信されたサービス要求を受信するように構成された受信ユニット801と、ユーザ装置及び加入ホームロケーションのゲートウェイがゲートウェイを使用することによりデータを送信するため、サービス要求を加入ホームロケーションのゲートウェイに送信するように構成された送信ユニット804とを含む。
【００７５】
第３の実施例によれば、本発明の実施例によるゲートウェイの装置の構成図である図９を参照する。図９に示すように、ゲートウェイは以下のユニット、すなわち、アクティベーション要求を受信するように構成された受信ユニット901であり、アクティベーション要求は、加入者アイデンティティ及びアクセスポイント名（APN）を少なくとも含み、加入者アイデンティティは、ユーザ装置のアイデンティティを識別するために使用される受信ユニット901と、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得するように構成された取得ユニット902と、第２の応答メッセージをローミングロケーションのネットワークデバイスに送信するように構成された送信ユニット903であり、第２の応答メッセージは、アクティベーション要求へのゲートウェイの応答メッセージであり、ローミングロケーションのネットワークデバイスがユーザ装置により送信されたアクティベーション要求を加入ホームロケーションのゲートウェイに再送信し、加入ホームロケーションのゲートウェイにより返信されたアクティベーション要求の第１の応答要求をユーザ装置に送信するため、第２の応答メッセージは、加入ホームロケーションのゲートウェイのゲートウェイアドレスを保持し、第１の応答要求は、加入ホームロケーションのゲートウェイのゲートウェイアドレスを保持し、ユーザ装置は、第１の応答メッセージに保持された加入ホームロケーションのゲートウェイのゲートウェイアドレスに従って、加入ホームロケーションのゲートウェイを使用することによりデータを直接送信する送信ユニット903を含む。
【００７６】
前述の第１の実施例、第２の実施例及び第３の実施例について、方法の実施例の図３、図４及び図５に参照が行われてもよい。
【００７７】
本発明のこの実施例は、ゲートウェイを提供する。ゲートウェイは、アクティベーション要求を受信し、アクティベーション要求は、加入者アイデンティティ及びアクセスポイント名（APN）を少なくとも含み、加入者アイデンティティは、ユーザ装置のアイデンティティを識別するために使用され、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得することにより、共通サービスの種類毎に１つのみのAPNが存在することを実現する。このように、APNの数量が減少する可能性があり、APNの管理が簡略化され、ネットワーク構造に変更が必要とされず、加入ホームロケーションに戻る必要がある一般APNが柔軟に構成される可能性があり、APNのホームロケーションの解析を実行することのみが必要となり、シグナリング手順が簡略化される可能性がある。これにより、ゲートウェイデバイスの処理容量の要件が低減される。
【００７８】
図１０は、本発明の実施例によるゲートウェイの装置の構成図である。本発明のこの実施例によるゲートウェイ1000である図１０を参照する。本発明の具体的な実施例は、ゲートウェイの具体的な実現への限定を構成しない。ゲートウェイ1000は、プロセッサ（processor）1001と、通信インタフェース（Communications  Interface）1002と、メモリ（memory）1003と、バス1004とを含む。
【００７９】
プロセッサ1001、通信インタフェース1002及びメモリ1003は、バス1004を使用することにより相互通信を達成する。
【００８０】
通信インタフェース1002は、他のデバイスと通信するように構成される。
【００８１】
プロセッサ1001は、プログラムを実行するように構成される。
【００８２】
具体的に、プログラムは、プログラムコードを含んでもよく、プログラムコードは、コンピュータ動作命令を含む。
【００８３】
プロセッサ1001は、中央処理装置（central  processing  unit、CPU）でもよく、特定用途向け集積回路（ASIC（Application  Specific  Integrated  Circuit））でもよく、本発明のこの実施例の１つ以上の集積回路に構成された１つ以上の集積回路でもよい。
【００８４】
メモリ1003は、プログラムを記憶するように構成される。メモリ1003は、不揮発性メモリ（volatile  memory）、例えば、ランダムアクセスメモリ（random-access  memory、RAM）でもよく、読み取り専用メモリ（read-only  memory、ROM）、フラッシュメモリ（flash  memory）、ハードディスクドライブ（hard  disk  drive、HDD）又はソリッドステートドライブ（solid-state  drive、SSD）のような不揮発性メモリ（non-volatile  memory）でもよい。プロセッサ1001は、メモリ1003に記憶されたプログラム命令に従って以下の方法、すなわち、ローミングロケーションのネットワークデバイスのアクティベーション要求を受信するステップであり、アクティベーション要求は、加入者アイデンティティ及びアクセスポイント名（APN）を少なくとも含み、加入者アイデンティティは、ユーザ装置のアイデンティティを識別するために使用されるステップと、アクティベーション要求の加入者アイデンティティ及びAPNに従って、加入ホームロケーションのゲートウェイのゲートウェイアドレスを取得し、加入ホームロケーションのゲートウェイを使用することによりデータを送信するステップとを実行する。
【００８５】
アクティベーション要求の加入者アイデンティティ及びAPNに従って、加入ホームロケーションのゲートウェイのゲートウェイアドレスを取得するステップは、アクティベーション要求の加入者アイデンティティ及びAPN、並びに、ドメインネームシステム（DNS）に事前に記憶されたマッピング関係に従って、加入ホームロケーションのゲートウェイのゲートウェイアドレスを取得するステップであり、マッピング関係は、加入者アイデンティティと、加入ホームロケーションのゲートウェイのゲートウェイアドレスに対応するAPNとの関係であるステップ、或いは、アクティベーション要求の加入者アイデンティティ及びAPN、並びに、事前に記憶されたマッピング関係に従って、加入ホームロケーションのゲートウェイのゲートウェイアドレスを取得するステップであり、マッピング関係は、加入者アイデンティティと、加入ホームロケーションのゲートウェイのゲートウェイアドレスに対応するAPNとの関係であるステップを含む。
【００８６】
加入ホームロケーションのゲートウェイを使用することによりデータを送信するステップは、第１のゲートウェイにより、アクティベーション要求の宛先インターネットプロトコル（IP）アドレスを加入ホームロケーションのゲートウェイのゲートウェイアドレスに変更し、アクティベーション要求を加入ホームロケーションのゲートウェイに送信するステップであり、アクティベーション要求は、ローミングロケーションのネットワークデバイスの送信元アドレスを保持するステップと、第１のゲートウェイにより、加入ホームロケーションのゲートウェイにより返信されたアクティベーション要求の第１の応答メッセージをローミングロケーションのネットワークデバイスに送信し、ローミングロケーションのネットワークデバイスにより、第１の応答メッセージをユーザ装置に転送するステップであり、第１の応答メッセージは、加入ホームロケーションのゲートウェイのゲートウェイアドレスを保持するステップと、ユーザ装置により、第１の応答メッセージに保持された加入ホームロケーションのゲートウェイのゲートウェイアドレスに従って、加入ホームロケーションのゲートウェイを使用することによりデータを直接送信するステップとを含む。
【００８７】
加入ホームロケーションのゲートウェイを使用することによりデータを送信するステップは、第１のゲートウェイにより、アクティベーション要求の宛先IPアドレスを加入ホームロケーションのゲートウェイのゲートウェイアドレスに変更し、アクティベーション要求に保持されたローミングロケーションのネットワークデバイスの送信元アドレスをゲートウェイのゲートウェイアドレスに変更し、変更されたアクティベーション要求を加入ホームロケーションのゲートウェイに送信するステップと、第１のゲートウェイにより、加入ホームロケーションにより返信されたアクティベーション要求の第１の応答メッセージをローミングロケーションのネットワークデバイスに送信し、ローミングロケーションのネットワークデバイスにより、第１の応答メッセージをユーザ装置に転送するステップであり、第１の応答メッセージは、ゲートウェイのゲートウェイアドレスを保持するステップと、ゲートウェイにより、ユーザ装置により送信されたサービス要求を受信し、ユーザ装置及び加入ホームロケーションのゲートウェイがゲートウェイを使用することによりデータを送信するため、サービス要求を加入ホームロケーションのゲートウェイに送信するステップとを含む。
【００８８】
加入ホームロケーションのゲートウェイを使用することによりデータを送信するステップは、第１のゲートウェイにより、第２の応答メッセージをローミングロケーションのネットワークデバイスに送信するステップであり、第２の応答メッセージは、アクティベーション要求へのゲートウェイの応答メッセージであり、第２の応答メッセージは、加入ホームロケーションのゲートウェイのゲートウェイアドレスを保持するステップと、ローミングロケーションのネットワークデバイスにより、ユーザ装置により送信されたアクティベーション要求を加入ホームロケーションのゲートウェイに再送信し、加入ホームロケーションのゲートウェイにより返信されたアクティベーション要求の第１の応答要求をユーザ装置に送信するステップであり、第１の応答要求は、加入ホームロケーションのゲートウェイのゲートウェイアドレスを保持するステップと、ユーザ装置により、第１の応答メッセージに保持された加入ホームロケーションのゲートウェイのゲートウェイアドレスに従って、加入ホームロケーションのゲートウェイを使用することによりデータを直接送信するステップとを含む。
【００８９】
本発明のこの実施例は、ゲートウェイを提供する。ゲートウェイは、アクティベーション要求を受信し、アクティベーション要求は、加入者アイデンティティ及びアクセスポイント名（APN）を少なくとも含み、加入者アイデンティティは、ユーザ装置のアイデンティティを識別するために使用され、ユーザ装置及び加入ホームロケーションのゲートウェイがデータを送信するため、アクティベーション要求の加入者アイデンティティ及びAPNに従って、加入ホームロケーションのゲートウェイのゲートウェイアドレスを取得することにより、共通サービスの種類毎に１つのみのAPNが存在することを実現する。このように、APNの数量が減少する可能性があり、APNの管理が簡略化され、ネットワーク構造に変更が必要とされず、加入ホームロケーションに戻る必要がある一般APNが柔軟に構成される可能性があり、APNのホームロケーションの解析を実行することのみが必要となり、シグナリング手順が簡略化される可能性がある。これにより、ゲートウェイデバイスの処理容量の要件が低減される。
【００９０】
前述の説明は本発明の単に特定の実現方式に過ぎず、本発明の保護範囲を限定することを意図するものではない。本発明に開示された技術的範囲内で当業者により容易に認識される如何なる変更又は置換も、本発明の保護範囲内に入るものとする。従って、本発明の保護範囲は、特許請求の範囲の保護範囲に従うものとする。
【図１】
0006325664.tif 000002
【図２】
0006325664.tif 000003
【図３】
0006325664.tif 000004
【図４】
0006325664.tif 000005
【図５】
0006325664.tif 000006
【図６】
0006325664.tif 000007
【図７】
0006325664.tif 000008
【図８】
0006325664.tif 000009
【図９】
0006325664.tif 000010
【図１０】
0006325664.tif 000011